(57)【要約】【課題】固着・剥離を繰り返し実施可能な粘着部により、冊子カバーと表表紙、裏表紙とを確実に固定して冊子カバーと冊子との一体感を図るとともに、開きやすく、かつ厚みの異なる本にも対応できる冊子カバーを提供すること。【解決手段】冊子の表表紙６、背表紙８、裏表紙７を被覆可能な左右長を有する基材９を有し、少なくとも表表紙６と裏表紙７に対して固着・剥離を繰り返し実施可能な粘着部が配置されるととともに背表紙８に対しては非粘着部１０が配置されるように、基材９に粘着層４が形成されており、前記非粘着部１０は上下に渡って比較的幅広の帯状領域として構成されている。【選択図】図１
0003173045.tif 000002
【実用新案登録請求の範囲】
【請求項１】
冊子の表紙を覆うための冊子カバーであって、
前記冊子の表表紙、背表紙、裏表紙を被覆可能な左右長を有する基材を有し、少なくとも前記表表紙と裏表紙に対して固着・剥離を繰り返し実施可能な粘着部が配置されるととともに前記背表紙に対しては非粘着部が配置されるように、前記基材に粘着層が形成されており、前記非粘着部は上下に渡って比較的幅広の帯状領域として構成されていることを特徴とする冊子カバー。
【請求項２】
冊子カバーの裏面における全ての角部に及んで粘着層が形成されており、前記冊子カバーの高さは、Ａ４，Ａ６，Ｂ４、Ｂ５等規格に対応する寸法になっているとともに、冊子カバーは、書籍の表表紙、背表紙そして裏表紙を連設した長さを覆うことのできる比較的ゆとりのある左右長を有していることを特徴とする請求項１に記載の冊子カバー。
【請求項３】
冊子カバーの少なくとも左右一旦の角部に切欠部が設けられていることを特徴とする請求項１または２に記載の冊子カバー。
【請求項４】
冊子カバーに縦方向に所定の間隔の幅で複数本の折曲部が形成されていることを特徴する請求項１ないし３のいずれかに記載の冊子カバー。
【請求項５】
冊子の表表紙、背表紙および裏表紙を連設した長さに、一個の折返し代の長さを加えた形状の基材からなり、折返し代はその他の部分と、縦方向に所定の間隔幅の複数本の折線からなる折曲部で区画されていることを特徴とする請求項４に記載の冊子カバー。
【請求項６】
冊子の表表紙、背表紙および裏表紙を連設した長さに、両端の２個の折返し代の長さを加えた形状の基材からなり、両折返し代はその他の部分と、縦方向に所定の間隔幅の複数本の折線からなる折曲部で区画されていることを特徴とする請求項４に記載の冊子カバー。
【考案の詳細な説明】
【技術分野】
【０００１】
本考案は、書籍類やノート等の冊子に対してそれら表面部分を被覆できる冊子カバーに関する。
【背景技術】
【０００２】
従来、書籍類をカバーする冊子カバーは、袋タイプ、折返しタイプなどの固定部を有するものが一般的であり、またその材質として革、プラスチック、そして紙等種々のものが存在する。上記した袋タイプ、折返しタイプは嵩張りや重さが増すという問題があり、また冊子とカバーの固定が煩雑になるといった問題から、近年、粘着剤が塗布された比較的薄いタイプの冊子カバーが開発されている。（例えば、特許文献１参照）。
【０００３】
また、冊子カバーに折返しを設けず、書籍に接触する裏側全面に亘って剥離可能な粘着層を形成し、その粘着層を書籍の表紙に貼り付けて装着して使用する冊子カバーも開発されている（例えば、特許文献２参照）。
【先行技術文献】
【特許文献】
【０００４】
【特許文献１】特開平７−２２８０７３号公報
【特許文献２】特開２００８−１３７３７０号公報
【考案の概要】
【考案が解決しようとする課題】
【０００５】
しかしながら、特許文献１の冊子カバーにあっては、折返し代の内側のみにしか粘着剤が塗布されていないため、冊子カバーを表表紙、裏表紙に対して十分に固定ができず、冊子カバーと冊子との一体感が無く、特に冊子の開放時に冊子カバーが大きく背面に張り出し、利用し難いものであった。
【０００６】
また、特許文献２にあっては、冊子カバーの裏側全面に亘って粘着層が設けられ、その点、特許文献１の冊子カバーよりも冊子カバーと冊子との一体感が達成されるものの、冊子の背表紙に対しても冊子カバーが貼り付くため、冊子の開閉時に背表紙と冊子カバーとの長さの変化を吸収できず、開き難くなるという虞がある。
【０００７】
本考案は、このような問題点に着目してなされたもので、固着・剥離を繰り返し実施可能な粘着部により、冊子カバーと表表紙、裏表紙とを確実に固定して冊子カバーと冊子との一体感を図るとともに、開きやすく、かつ厚みの異なる本にも対応できる冊子カバーを提供することを目的とする。
【課題を解決するための手段】
【０００８】
前記課題を解決するために、本考案の冊子カバーは、
冊子の表紙を覆うための冊子カバーであって、
前記冊子の表表紙、背表紙、裏表紙を被覆可能な左右長を有する基材を有し、少なくとも前記表表紙と裏表紙に対して固着・剥離を繰り返し実施可能な粘着部が配置されるととともに前記背表紙に対しては非粘着部が配置されるように、前記基材に粘着層が形成されており、前記非粘着部は上下に渡って比較的幅広の帯状領域として構成されていることを特徴としている。
この特徴によれば、固着・剥離を繰り返し実施可能な粘着部により、冊子カバーと表表紙、裏表紙とが確実に固定され、冊子カバーと冊子との一体感を達成できるとともに、背表紙に対しては非粘着部が配置されており、冊子カバーと冊子の背表紙とが貼り付いていないため、ここで冊子の開閉時に背表紙と冊子カバーとの長さの変化を吸収でき、冊子が開き易くなる。また非粘着部が上下に渡って比較的幅広の帯状領域として構成されているため、厚みの異なる本にも対応できる
【０００９】
本考案の冊子カバーは、
冊子カバーの裏面における全ての角部に及んで粘着層が形成されており、前記冊子カバーの高さは、Ａ４，Ａ６，Ｂ４、Ｂ５等規格に対応する寸法になっているとともに、冊子カバーは、書籍の表表紙、背表紙そして裏表紙を連設した長さを覆うことのできる比較的ゆとりのある左右長を有していることを特徴としている。
この特徴によれば、前記冊子カバーの高さが、Ａ４，Ａ６，Ｂ４、Ｂ５等規格に対応する寸法になっているので上下のはみ出しは無い。そして冊子の厚みが薄く、冊子カバーが裏表紙または表表紙からはみ出した場合には、このはみ出し部分を裏表紙または表表紙の裏面に廻して冊子カバーの角部に及ぶ粘着層で貼り付け、この余剰部分を所謂折返し代として用いることができ、種々の厚みの冊子に本冊子カバーが利用できることになる。
【００１０】
本考案の冊子カバーは、
冊子カバーの少なくとも左右一旦の角部に切欠部が設けられていることを特徴としている。
この特徴によれば、切欠部が冊子カバーを冊子から外す際の目印になる。
【００１１】
本考案の冊子カバーは、
冊子カバーに縦方向に所定の間隔の幅で複数本の折曲部が形成されていることを特徴としている。
この特徴によれば、はみ出し部分や折返し代を裏表紙または表表紙の裏面に廻して貼り付ける際、折曲部を利用することにより冊子カバーの折り曲げが容易となる。
【００１２】
本考案の冊子カバーは、
冊子の表表紙、背表紙および裏表紙を連設した長さに、一個の折返し代の長さを加えた形状の基材からなり、折返し代はその他の部分と、縦方向に所定の間隔幅の複数本の折線からなる折曲部で区画されていることを特徴としている。
この特徴によれば、折返し代を裏表紙または表表紙の裏面に廻して貼り付ける際、折曲部を利用することにより冊子カバーの折り曲げが容易となるばかりか、用意された折曲部の幅により本冊子カバーの利用できる冊子の厚みを知ることができる。
【００１３】
本考案の冊子カバーは、
冊子の表表紙、背表紙および裏表紙を連設した長さに、両端の２個の折返し代の長さを加えた形状の基材からなり、両折返し代はその他の部分と、縦方向に所定の間隔幅の複数本の折線からなる折曲部で区画されていることを特徴としている。
この特徴によれば、折返し代を裏表紙または表表紙の裏面に廻して貼り付ける際、折曲部を利用することにより冊子カバーの折り曲げが容易となる。
【図面の簡単な説明】
【００１４】
【図１】実施例１における冊子カバーを示す斜視図である。
【図２】図１の冊子カバーを示す正面図である。
【図３】実施例２における冊子カバーを示す斜視図である。
【図４】図３の冊子カバーを示す正面図である。
【図５】実施例３における冊子カバーを示す斜視図である。
【図６】図５の冊子カバーを示す正面図である。
【考案を実施するための形態】
【００１５】
本考案に係る冊子カバーを実施するための形態を実施例に基づいて以下に説明する。
【実施例１】
【００１６】
実施例１に係る冊子カバーにつき、図１から図２を参照して説明する。
【００１７】
図１の符号１は、本考案の適用された冊子カバーである。この冊子カバー１は、冊子５の表表紙６、裏表紙７、背表紙８を覆って冊子５を被覆または保護する為のものであり、この冊子カバー１は、冊子５の表表紙６、背表紙８および裏表紙７を連設した形状に略等しい形状の不透明な基材９を有し、図２に示されるようにその基材９の裏面には、基本的に表表紙６、裏表紙７に対応する箇所全てに再剥離可能な弱粘着性の粘着層４、すなわち固着・剥離を繰り返し実施可能な粘着部（例えばポストイットに使われる糊が特殊な製法で小さな球状に付いているものなど）が設けられている。より具体的には、冊子カバー１の裏面における全ての角部に及んで粘着層４が形成されている。
【００１８】
また、本実施例にあっては、図１，２に示されるように冊子５の背表紙８に当るほぼ中央領域に上下に渡って比較的幅広の非粘着部１０が設けられている。この非粘着部１０は基材９の裏面に粘着層４を形成しない処理や、裏全面を粘着層に加工し、その上に非粘着材を張るなどの処理をして形成してもよい。さらに冊子カバー１の少なくとも左右一旦の角部には切欠部１１が設けられており、この切欠部１１の裏面にも全て粘着層４が形成されているが、その一部縁には、ライン状の非粘着部１２が形成されている。この切欠部１１は、適宜形状や大きさを選定できることは言うまでもない。
【００１９】
特に図１には、図２に示された冊子カバー１が冊子５に被覆される工程が示されており、比較的幅広の非粘着部１０を冊子５の背表紙８の位置に対向するように位置決めし、冊子５の表表紙６、裏表紙７にそれぞれ各粘着層４を当接することによって、冊子５に対して冊子カバー１が張り付くことになる。本実施例の冊子カバー１はその高さは、Ａ４，Ａ６，Ｂ４、Ｂ５等規格に対応する寸法になっているが、市販の一般書籍の表表紙６、背表紙８そして裏表紙７を連設した長さを覆うことのできる比較的ゆとりのある左右長を有していると都合が良い。これは冊子５には種々の厚みが存在し、この冊子の厚みが裏表紙の幅に関係し、冊子カバー１の左右長を比較的長くしておくことにより、多くの冊子５に冊子カバー１が適用可能となる。
【００２０】
詳述すると、先ず冊子カバー１の切欠部１１を冊子５の角部に位置させ、冊子５の表表紙６、裏表紙７にそれぞれ各粘着層４を当接することによって、冊子５に対して冊子カバー１が張り付くことになる。このとき中央領域に上下に渡り比較的幅広に設けられた非粘着部１０が冊子５の背表紙８に対向することになる。なお、冊子５の厚みによっては全ての裏表紙７に粘着層４が来るとは限らない。その際、冊子の厚みが薄く、冊子カバー１の粘着層４の部分が裏表紙７から若干はみ出した場合には、この部分を裏表紙７の裏面に廻して貼り付け、この余剰部分を所謂折返し代として用いることができ、種々の厚みの冊子５に本冊子カバー１が利用できることになる。なお、冊子カバー１が冊子５に張り付いた状態では切欠部１１は図１の破線で示される場所に位置し、この切欠が冊子カバー１を冊子５から外す際の目印になるとともに、切欠部１１の裏面の一部縁が非粘着部１２となっているので、この部分が手がかりとなり冊子カバー１が剥がしやすくなっている。
【００２１】
なお、冊子カバー１と冊子５の表表紙６および裏表紙７が貼り付いた状態のときも、背表紙８付近には粘着層４がないので、冊子カバー１が背表紙８に貼り付かず、冊子５が開きにくくなる虞がなくなる。
【実施例２】
【００２２】
実施例２に係る冊子カバーにつき、図３から図４を参照して説明する。
【００２３】
図２の符号１は、本考案の適用された冊子カバーである。この冊子カバー１は、冊子５の表表紙６、裏表紙７、背表紙８を覆って冊子５を被覆または保護する為のものであり、この冊子カバー１は、冊子５の表表紙６、背表紙８および裏表紙７を連設した長さに、折返し代２の長さを加えた形状の不透明な基材９を有し、図４に示されるようにその基材９の裏面には、再剥離可能な弱粘着性の粘着層４、すなわち固着・剥離を繰り返し実施可能な粘着部（例えばポストイットに使われる糊が特殊な製法で小さな球状に付いているものなど）が設けられている。より具体的には、冊子カバー１の裏面における角部に及んで粘着層４が形成されている。符号３は複数の折線からなる折曲部であり、折り曲げを容易にするための加工（折線は、例えば折り目やミシン目などが縦に一定の間隔の幅で複数本配置されている。）が施されている。この実施例では、複数本の折線で形成されている折曲部３の幅を、後述する非粘着部１０の幅に対応するように幅を調整にしておくこともできる。このようにして用意された折曲部の幅により、利用者は、本冊子カバーが、どの程度の厚みの冊子に対応可能か容易に知ることができる。
【００２４】
また、本実施例にあっても実施例１と同様、図３，４に示されるように冊子５の背表紙８に当る領域に上下に渡って比較的幅広の非粘着部１０が設けられている。この非粘着部１０は基材９の裏面に粘着層４を形成しない処理や、裏全面を粘着層に加工し、その上に非粘着材を張るなどの処理をして形成してもよい。本実施例の冊子カバー１もその高さは、Ａ４，Ａ６，Ｂ４、Ｂ５等規格に対応する寸法になっている。
【００２５】
特に図３には、図４に示された冊子カバー１が冊子５に被覆される工程が示されており、比較的幅広の非粘着部１０を冊子５の背表紙８の位置に対向するように位置決めし、冊子５の表表紙６、裏表紙７にそれぞれ各粘着層４を当接することによって、冊子５に対して冊子カバー１が張り付くことになる。
【００２６】
詳述すると、先ず冊子カバー１の粘着層４を裏表紙７に当接させ、続いて冊子５の表表紙６にそれぞれ各粘着層４を当接することによって、冊子５に対して冊子カバー１が張り付くことになる。このとき中央領域に上下に渡り比較的幅広に設けられた非粘着部１０が冊子５の背表紙８に対向することになる。冊子の厚みによって、冊子カバー１の折返し代２の長さが決まり、適した位置の折曲部３から折返し代２が曲げられ、表表紙６の裏面に粘着層４により貼り付けられる。このように複数の折曲部３から曲げられる複数長の折返し代が用意できるため、種々の厚みの冊子５にこの冊子カバー１が利用できることになる。
【００２７】
なお、冊子カバー１と冊子５の表表紙６および裏表紙７が貼り付いた状態のときも、背表紙８付近には粘着層４がないので、冊子カバー１が背表紙８に貼り付かず、冊子５が開きにくくなる虞がなくなる。
【実施例３】
【００２８】
実施例３に係る冊子カバーにつき、図５から図６を参照して説明する。
【００２９】
図５の符号１は、本考案の適用された冊子カバーである。この冊子カバー１は、冊子５の表表紙６、裏表紙７、背表紙８を覆って冊子５を被覆または保護する為のものであり、この冊子カバー１は、冊子５の表表紙６、背表紙８および裏表紙７を連設した長さに、両端に延びる２箇所の折返し代２、２の長さを加えた形状の不透明な基材９を有し、図６に示されるようにその基材９の裏面には、再剥離可能な弱粘着性の粘着層４、すなわち固着・剥離を繰り返し実施可能な粘着部（例えばポストイットに使われる糊が特殊な製法で小さな球状に付いているものなど）が設けられている。より具体的には、冊子カバー１の裏面における角部に及んで粘着層４が形成されている。符号３は複数の折線からなる折曲部であり、折り曲げを容易にするための加工（折線は、例えば折り目やミシン目などが縦に一定の間隔の幅で複数本配置されている。）が施されている。
【００３０】
また、本実施例にあっても実施例１、２と同様、図５，６に示されるように冊子５の背表紙８に当るほぼ中央領域に上下に渡って比較的幅広の非粘着部１０が設けられており、本実施例の冊子カバー１もその高さは、Ａ４，Ａ６，Ｂ４、Ｂ５等規格に対応する寸法になっている。
【００３１】
特に図５には、図６に示された冊子カバー１が冊子５に被覆される工程が示されており、比較的幅広の非粘着部１０を冊子５の背表紙８の位置に対向するように位置決めし、冊子５の表表紙６、裏表紙７にそれぞれ各粘着層４を当接することによって、冊子５に対して冊子カバー１が張り付くことになる。この場合も、冊子の厚みによって、冊子カバー１の左右に延びる折返し代２の長さがそれぞれ決まり、適した位置の折曲部３から折返し代２、２が曲げられ、表表紙６と裏表紙７との裏面に粘着層４により貼り付けられる。このように複数の折曲部３から曲げられる複数長の折返し代が用意できるため、種々の厚みの冊子５にこの冊子カバー１が利用できることになる。
【００３２】
各実施例に示された冊子カバー１は、冊子５の背表紙８が冊子カバー１の非粘着部１０の位置に常に位置することによって、冊子５の開閉に影響せず、開閉による冊子の破損が防止されるとともに、冊子カバー１の利用時の違和感が無くすことができる。また冊子５と冊子カバー１との一体感が保全され、冊子カバー１の使用勝手がよいものとなる。
【００３３】
以上、本考案の実施例を図面により説明してきたが、具体的な構成はこれら実施例に限られるものではなく、本発明の要旨を逸脱しない範囲における変更や追加があっても本発明に含まれる。
【符号の説明】
【００３４】
１                冊子カバー
２                折返し代
３                折曲部
４                粘着層
５                冊子
６                表表紙
７                裏表紙
８                背表紙
９                基材
１０              非粘着部
１１              切欠部
１２              非粘着部
【図１】
0003173045.tif 000003
【図２】
0003173045.tif 000004
【図３】
0003173045.tif 000005
【図４】
0003173045.tif 000006
【図５】
0003173045.tif 000007
【図６】
0003173045.tif 000008